【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
副搬送波シンボルＦ（ｋ）を、偶数および奇数のサンプルを有する中間周波数ＯＦＤＭ信号（ｆ（ｎ））に変調するための方法であって、
Ｎ個の前記副搬送波シンボルＦ（ｋ）を事前処理済み副搬送波シンボルＺ（ｋ）に変換するためのステップと、
複素出力シンボルｚ（ｎ）を生成するために、前記事前処理済み副搬送波シンボルＺ（ｋ）上で複素逆離散型フーリエ変換（ＩＤＦＴ）を実行するためのステップと、
前記複素出力シンボルｚ（ｎ）を前記中間周波数ＯＦＤＭ信号（ｆ（ｎ））に変換するステップと、
を備え、前記副搬送波シンボルＦ（ｋ）は、前記複素出力シンボルｚ（ｎ）の実数部および虚数部によって前記中間周波数ＯＦＤＭ信号（ｆ（ｎ））の偶数および奇数サンプルが与えられるように変換される、方法。
【請求項２】
前記副搬送波シンボルＦ（ｋ）を、前記中間周波数ＯＦＤＭ信号（ｆ（ｎ））のｉ＝０．．．２Ｎ−１であるスペクトルＦ（ｉ）に割り当てるステップであって、実シーケンスのスペクトルの対称性プロパティ、Ｆ（ｉ）＝Ｆ（２Ｎ−ｉ）＊から、負の周波数コンテンツが導出可能である、割り当てるステップと、
ｋ＝０．．．Ｎ−１である前記副搬送波シンボルＦ（ｋ）を、前記実シーケンスのスペクトルの対称性プロパティを使用して、前記事前処理済み複素副搬送波シンボルＺ（ｋ）に変換するステップであって、Ｚ（ｋ）＝Ｘ（ｋ）＋ｊ＊Ｙ（ｋ）であり、Ｘ（ｋ）およびＹ（ｋ）は前記実シーケンスのスペクトルｘ（ｎ）およびｙ（ｎ）を定義する、変換するステップと、
前記事前処理済みの複素副搬送波シンボルＺ（ｋ）を前記複素出力シンボルｚ（ｎ）＝ｘ（ｎ）＋ｊ＊ｙ（ｎ）に変換する、前記複素逆離散型フーリエ変換（ＩＤＦＴ）を実行するステップと、
をさらに有する、請求項１に記載の方法。
【請求項３】
前記副搬送波シンボルＦ（ｋ）の変換が、前記複素出力シンボルｚ（ｎ）の前記実数部および虚数部を、前記中間周波数ＯＦＤＭ信号（ｆ（ｎ））の偶数および奇数サンプルに多重化することによって実行される、請求項１または２に記載の方法。
【請求項４】
偶数および奇数サンプルを有する中間周波数ＯＦＤＭ信号（ｆ（ｎ））を、事後処理済み副搬送波シンボルＦ（ｋ）に復調するための方法であって、
前記中間周波数ＯＦＤＭ信号（ｆ（ｎ））を複素入力シンボルｚ（ｎ）に変換するステップであって、前記偶数および奇数のサンプルが、前記複素入力シンボルｚ（ｎ）の実数部および虚数部に関連付けられる、変換するステップと、
複素ＤＦＴ出力シンボルＺ（ｋ）を生成するために、前記複素入力シンボルｚ（ｎ）上で複素離散型フーリエ変換（ＤＦＴ）を実行するステップと、
前記複素ＤＦＴ出力シンボルＺ（ｋ）を前記事後処理済み副搬送波シンボルＦ（ｋ）に変換するステップと、
を有する、方法。
【請求項５】
コンピュータに副搬送波シンボルＦ（ｋ）を偶数および奇数のサンプルを有する中間周波数ＯＦＤＭ信号（ｆ（ｎ））に変調させるためのプログラムであって、
前記コンピュータに、Ｎ個の前記副搬送波シンボルＦ（ｋ）を事前処理済み副搬送波シンボルＺ（ｋ）に変換するためのステップと、
複素出力シンボルｚ（ｎ）を生成するために、前記事前処理済み副搬送波シンボルＺ（ｋ）上で複素逆離散型フーリエ変換（ＩＤＦＴ）を実行するためのステップと、  前記複素出力シンボルｚ（ｎ）を前記中間周波数ＯＦＤＭ信号（ｆ（ｎ））に変換するステップと、を実行させ、前記副搬送波シンボルＦ（ｋ）は、前記複素出力シンボルｚ（ｎ）の実数部および虚数部によって前記中間周波数ＯＦＤＭ信号（ｆ（ｎ））の偶数および奇数サンプルが与えられるように変換されることを特徴とする、プログラム。
【請求項６】
コンピュータに偶数および奇数サンプルを有する中間周波数ＯＦＤＭ信号（ｆ（ｎ））を事後処理済み副搬送波シンボルＦ（ｋ）に復調させるためのプログラムであって、
前記コンピュータに、前記中間周波数ＯＦＤＭ信号（ｆ（ｎ））を複素入力シンボルｚ（ｎ）に変換するステップであって、前記偶数および奇数のサンプルが、前記複素入力シンボルｚ（ｎ）の実数部および虚数部に関連付けられる、変換するステップと、
複素ＤＦＴ出力シンボルＺ（ｋ）を生成するために、前記複素入力シンボルｚ（ｎ）上で複素離散型フーリエ変換（ＤＦＴ）を実行するステップと、  前記複素ＤＦＴ出力シンボルＺ（ｋ）を前記事後処理済み副搬送波シンボルＦ（ｋ）に変換するステップと、を実行させるためのプログラム。
【請求項７】
副搬送波シンボルＦ（ｋ）を、偶数および奇数サンプルを有する中間周波数ＯＦＤＭ信号（ｆ（ｎ））に変調するための直交周波数分割多重変調装置（１）であって、
Ｎ個の前記副搬送波シンボルＦ（ｋ）を事前処理済み副搬送波シンボルＺ（ｋ）に変換するための第１の変換手段（１０）と、
複素出力シンボルｚ（ｎ）を生成するために、前記事前処理済み副搬送波シンボルＺ（ｋ）の複素逆離散型フーリエ変換（ＩＤＦＴ）を実行するためのＩＤＦＴ手段と、
前記複素出力シンボルｚ（ｎ）を前記中間周波数ＯＦＤＭ信号（ｆ（ｎ））に変換するための第２の変換手段（５０）と、
を有し、前記副搬送波シンボルＦ（ｋ）が、前記複素出力シンボルｚ（ｎ）の実数部および虚数部によって、前記中間周波数ＯＦＤＭ信号（ｆ（ｎ））の偶数および奇数サンプルが与えられるように、前記第２の変換手段（５０）で変換可能である、直交周波数分割多重変調装置。
【請求項８】
前記副搬送波シンボルＦ（ｋ）を事前処理済み副搬送波シンボルＺ（ｋ）に変換するための前記第１の変換手段（１０）が、ｋ＝０．．．Ｎ−１である、関数
【数１】
2007518302.tif 000001
を実行することを特徴とする、請求項７に記載の直交周波数分割多重変調装置（１）。
【請求項９】
前記ＩＤＦＴ手段（４）が逆高速フーリエ変換（ＩＦＦＴ）を実行するための機能を示す、請求項７または８に記載の直交周波数分割多重変調装置（１）。
【請求項１０】
前記第１の変換手段（１０）が、
前記副搬送波シンボルＦ（ｋ）を、前記中間周波数ＯＦＤＭ信号（ｆ（ｎ））のｉ＝０．．．２Ｎ−１であるスペクトルＦ（ｉ）に割り当てるための割り当て手段（１０ａ）であって、実シーケンスのスペクトルの対称性プロパティ、Ｆ（ｉ）＝Ｆ（２Ｎ−ｉ）＊から、負の周波数コンテンツが導出可能である、割り当て手段と、
ｋ＝０．．．Ｎ−１である前記副搬送波シンボルＦ（ｋ）を、前記実シーケンスのスペクトルの対称性プロパティを使用して、前記事前処理済み複素副搬送波シンボルＺ（ｋ）に変換するための変換手段（１０ｂ）であって、Ｚ（ｋ）＝Ｘ（ｋ）＋ｊ＊Ｙ（ｋ）であり、Ｘ（ｋ）およびＹ（ｋ）は前記実シーケンスのスペクトルｘ（ｎ）およびｙ（ｎ）を定義する、変換手段と、
をさらに有する、請求項７から９のうちの一項に記載の直交周波数分割多重変調装置（１）。
【請求項１１】
前記ＩＤＦＴ手段（４）が、前記事前処理済みの複素副搬送波シンボルＺ（ｋ）を前記複素出力シンボルｚ（ｎ）＝ｘ（ｎ）＋ｊ＊ｙ（ｎ）に変換する、前記複素逆離散型フーリエ変換（ＩＤＦＴ）を実行することを特徴とする、請求項７から１０のうちの一項に記載の直交周波数分割多重変調装置（１）。
【請求項１２】
前記第２の変換手段（５０）が、前記複素出力シンボルｚ（ｎ）の前記実数部および虚数部を、前記中間周波数ＯＦＤＭ信号（ｆ（ｎ））の偶数および奇数サンプルに多重化するための多重化手段（５２）を有する、請求項７から１１のうちの一項に記載の直交周波数分割多重変調装置（１）。
【請求項１３】
前記第１の変換手段（１０）および前記ＩＤＦＴ手段（４）が１つのデバイスに組み入れられる、請求項７から１２のうちの一項に記載の直交周波数分割多重変調装置（１）。
【請求項１４】
偶数および奇数サンプルを有する中間周波数ＯＦＤＭ信号（ｆ（ｎ））を、事後処理済み副搬送波シンボルＦ（ｋ）に復調するための、直交周波数分割多重復調装置（２）であって、
前記中間周波数ＯＦＤＭ信号（ｆ（ｎ））を複素入力シンボルｚ（ｎ）に変換するための第３の変換手段（１３）であって、前記偶数および奇数のサンプルが、前記複素入力シンボルｚ（ｎ）の実数部および虚数部に関連付けられる、第３の変換手段と、
複素ＤＦＴ出力シンボルＺ（ｋ）を生成するために、前記複素入力シンボルｚ（ｎ）上で複素離散型フーリエ変換を実行するためのＤＦＴ手段（１４）と、
前記複素ＤＦＴ出力シンボルＺ（ｋ）を前記事後処理済み副搬送波シンボルＦ（ｋ）に変換するための第４の変換手段（１５）と、
を有する、直交周波数分割多重復調装置。
【請求項１５】
前記複素ＤＦＴ出力シンボルＺ（ｋ）を前記事後処理済み副搬送波シンボルＦ（ｋ）に変換するための前記第４の変換手段（１５）が、ｋ＝０．．．Ｎ−１である、関数
【数２】
2007518302.tif 000002
を実行することを特徴とする、請求項１４に記載の直交周波数分割多重復調装置（２）。
【請求項１６】
前記ＤＦＴ手段（１４）が高速フーリエ変換（ＦＦＴ）を実行するための機能を示す、請求項１４または１５に記載の直交周波数分割多重復調装置（２）。
【請求項１７】
前記第３の変換手段（１３）が、前記中間周波数ＯＦＤＭ信号（ｆ（ｎ））の前記偶数および奇数サンプルを、前記複素ＤＦＴ入力シンボル、ｚ（ｎ）＝ｘ（ｎ）＋ｊ＊ｙ（ｎ）の前記実数部および虚数部へと逆多重化するための逆多重化手段（１３ａ）をさらに有し、ｘ（ｎ）＝ｆ（２ｎ）、ｙ（ｎ）＝ｆ（２ｎ＋１）、およびｎ＝０．．．Ｎ−１である、請求項１４から１６のうちの一項に記載の直交周波数分割多重復調装置（２）。
【請求項１８】
前記ＤＦＴ手段（１４）が、前記複素入力シンボルｚ（ｎ）の、ｋ＝０．．．Ｎ−１である前記複素ＤＦＴ出力シンボルＺ（ｋ）＝Ｘ（ｋ）＋ｊ＊Ｙ（ｋ）への前記複素離散型フーリエ変換を実行するように適合され、Ｘ（ｋ）およびＹ（ｋ）は前記実シーケンスｘ（ｎ）およびｙ（ｎ）のスペクトルである、請求項１４から１７のうちの一項に記載の直交周波数分割多重復調装置（２）。
【請求項１９】
前記第４の変換手段（１５）が、
ｋ＝１．．．Ｎ−１である前記複素ＤＦＴ出力シンボルＺ（ｋ）を、前記中間周波数ＯＦＤＭ信号（ｆ（ｎ））の前記事後処理済み副搬送波シンボル、Ｆ（ｋ）＝Ｘ（ｋ）＋ｅｘｐ（−ｊ＊ｐｉ＊ｋ／Ｎ）＊Ｙ（ｋ）へと事後処理するための事後処理手段（１５ａ）と、
前記事後処理済み副搬送波シンボルＦ（ｋ）を、他の処理のオーダに割り当てるための割り当て手段（１５ｂ）と、
をさらに有する、請求項１４から１８のうちの一項に記載の直交周波数分割多重復調装置（２）。
【請求項２０】
前記ＤＦＴ手段（１４）および前記第２の変換手段が１つのデバイスに組み入れられる、請求項１４から１９のうちの一項に記載の直交周波数分割多重復調装置（２）。
【手続補正２】
【補正対象書類名】明細書
【補正対象項目名】００２０
【補正方法】変更
【補正の内容】
【００２０】
好ましくは、実中間周波数信号の副搬送波シンボルへの復調は、以下のステップで実行される。第１に、中間周波数ＯＦＤＭ信号ｆ（ｎ）の偶数および奇数サンプルは、複素ＤＦＴ入力シンボル、ｚ（ｎ）＝ｘ（ｎ）＋ｊ×ｙ（ｎ）の実数部および虚数部へと逆多重化され、ここでｘ（ｎ）＝ｆ（２ｎ）、ｙ（ｎ）＝ｆ（２ｎ＋１）、およびｎ＝０．．．Ｎ−１である。複素入力シンボルｚ（ｎ）の、ｋ＝０．．．Ｎ−１である複素出力シンボルＺ（ｋ）＝Ｘ（ｋ）＋ｊ・Ｙ（ｋ）への複素離散型フーリエ変換が実行され、ここでＸ（ｋ）およびＹ（ｋ）は実シーケンスｘ（ｎ）およびｙ（ｎ）のスペクトルである。ｋ＝１．．．Ｎ−１である複素出力シンボルＺ（ｋ）は、実数値中間周波数ＯＦＤＭ信号ｆ（ｎ）のスペクトル、Ｆ（ｋ）＝Ｘ（ｋ）＋ｅ−ｊπ（ｋ／Ｎ）Ｙ（ｋ）へと事後処理される。実数値ＩＦ信号ｆ（ｎ）のｋ＝１．．．Ｎ−１であるスペクトルＦ（ｋ）は、関連する副搬送波シンボルに関連付けられる。